(57)【要約】      （修正有）【課題】軽トラックの荷台に装着した伸縮ボディ内で揚げ物を調理しながら販売することが可能で、伸縮ボディのスライド操作が容易な移動販売用車両を提供する。【解決手段】伸縮ボディを基部枠体１０、支柱体２０、天井枠体３０にて構成する。基部枠体を車両のシャーシーに固定する。基部枠体の開口した上部の四隅に支柱体を配設する。支柱体の外側部に、天井枠体を上下スライド自在に装着する。支柱体と天井枠体とのスライド部分にスライドレールを装着する。連結材、固定滑車、回転操作部でスライド装置を設ける。天井枠体３０の四隅下部に連結材を連結する。基部枠体１０の上部に固定滑車を装着する。基台枠体１０に装着した回転操作部に、連結材を巻き付け又は巻き戻す。スライド装置の各連結材のそれぞれ一部に、連結材を引張付勢する弾性材を連結する。【選択図】図１
0003108637.tif 000002
【実用新案登録請求の範囲】
【請求項１】
上下スライド自在な伸縮ボディを軽トラックの荷台に装着した移動販売用車両において、該伸縮ボディは、車両のシャーシーに固定される基部枠体と、該基部枠体の開口した上部の四隅に配設される支柱体と、該支柱体の外側部に沿って上下スライド自在に装着される天井枠体とからなり、前記支柱体と天井枠体とのスライド部分にスライドレールを介して連結し、天井枠体の四隅下部に連結した連結材と、基部枠体の上部に装着した固定滑車と、基台枠体に装着され固定滑車を介した連結材を巻き付け又は巻き戻す回転操作部と、からなるスライド装置を設け、該スライド装置の各連結材のそれぞれ一部に、連結材を引張付勢する弾性材を連結したことを特徴とする移動販売用車両。
【請求項２】
前記天井枠体側面に換気扇を装着する開口部を開穿し、該開口部の下部の天井枠体内側面に換気扇を揺動自在に支持する支持体を設け、天井枠体がスライド上昇した状態の開口部内に、揺動する支持体を介して換気扇を装着するように設けた請求項１記載の移動販売用車両。
【請求項３】
前記基台枠体内部に設置した揚げ物調理用のフライヤーを施蓋する蓋体を設け、該蓋体を上方にスライド移動するスライド体をフライヤーの開口部一側縁から上方に延長し、天井枠体がスライド上昇した状態において、該スライド体に沿って上部へ移動した蓋体をフライヤー使用時のフードとするように設けた請求項１記載の移動販売用車両。
【請求項４】
前記基部枠体の開口した上部側面に着脱自在に装着されて販売者と購買者との間を仕切る間仕切りを設けると共に、該間仕切り取り外し時に基台枠体内部に設置したフライヤーと購買者との間を仕切る飛散防御板とを設け、前記天井枠体がスライド上昇した状態において、これら間仕切りと飛散防御板とを交換自在に装着するように設けた請求項１記載の移動販売用車両。
【考案の詳細な説明】
【技術分野】
【０００１】
本考案は、軽トラックの荷台に装着した上下スライド自在な伸縮ボディの中で揚げ物を調理しながら販売することが可能な移動販売用車両に関する。
【背景技術】
【０００２】
軽自動車の大きさは、道路運送車両法により、長さ3.3ｍ、幅1.4ｍ、高さ2.0ｍ以下に定められている。そのため、軽トラックを利用した販売用の車両では、ボディの高さが販売業務用としては十分な高さではないことから、ボディの高さを伸縮自在に設け、走行時と販売時とのボディの高さを調整する必要があった。
【０００３】
このような軽トラックの荷台に装着したボディの高さを伸縮自在に設けた自動車用伸縮ボディが特許文献１及び特許文献２に記載されている。これらの伸縮ボディによると、天部を有さない内箱部と、底部を有さない外箱部と、内箱部の底部に設けられた１つの駆動部とを設け、この駆動部で外箱部を上下方向にスライド移動することで軽車両のボディを伸縮自在に調整しようとするものである。
【特許文献１】特開平１０−２５０４５７号公報
【特許文献２】特開平１０−０５９０５８号公報
【考案の開示】
【考案が解決しようとする課題】
【０００４】
特許文献１及び特許文献２の伸縮ボディによると、軽トラックの荷台に装着したボディを、走行時より駐車時に高くすることは可能になったが、これらの伸縮ボディを利用して揚げ物等を調理しながら販売することは困難であった。すなわち、揚げ物等を調理販売するには、調理時のフライヤーと購買者との間に、安全性を確保する間仕切りや、調理時の換気を行う換気扇等の設備が必要になる。ところが、特許文献１の如く、外箱部をスライド移動する構造では、このような間仕切りや換気扇等の設備がスライド移動の妨げになり、これらの装着や設置が困難になっていた。
【０００５】
また、特許文献１のように、チェーンにスプロケットを介した昇降装置で、外箱部をスライド移動するには、この外箱部の四隅を均等に持ち上げ、又は四隅を均等に下げる必要がある。ところが、車両の駐車位置が、ごく僅かに傾いているだけでも外箱部と内箱部との接触位置が偏ることになる。すると、この接触部分がスライド移動時の抵抗になり、外箱部の四隅を均等に持ち上げようとしても、偏って接触している部分がスライド移動を阻止する状態になる。このため、車両の駐車位置を均一な状態に戻し、外箱部の一部が内箱部に偏って接触しない状況にした後に、改めて外箱部の四隅を均一に持ち上げるといった極めて面倒な操作が必要になる。
【０００６】
しかも、外箱部に間仕切りや換気扇等の設備等を装着した場合は、外箱部において、これら設備の装着位置に荷重が集中するので、外箱部のバランスが崩れるなど、外箱部の四隅を均一に持ち上げる作業は更に困難になる。この結果、特許文献１、２に記載の伸縮ボディを使用するには、運転操作やスライド操作に習熟した技術が必要となり、初心者が簡単に使用できるものではなかった。例えば、揚げ物調理等の調理技術を十分にマスターした女性でも、このような販売車両を使用する場合、まず、販売車両の操作を習熟する必要がある。したがって、従来の軽トラックを利用した伸縮ボディでは、揚げ物等を調理販売する販売車両として利用することは極めて難しく、しかも、伸縮ボディのスライド操作が初心者には困難であるといった不都合があった。
【０００７】
そこで、本考案は上述の課題を解消すべく創出されたもので、軽トラックの荷台に装着した伸縮ボディ内で揚げ物を調理しながら販売することが可能で、しかも、伸縮ボディのスライド操作が初心者でも極めて容易に行える移動販売用車両の提供を目的とするものである。
【課題を解決するための手段】
【０００８】
本考案の第１の手段は、上下スライド自在な伸縮ボディを軽トラックの荷台に装着した移動販売用車両において、該伸縮ボディは、車両のシャーシーに固定される基部枠体１０と、該基部枠体１０の開口した上部の四隅に配設される支柱体２０と、該支柱体２０の外側部に沿って上下スライド自在に装着される天井枠体３０とからなり、前記支柱体２０と天井枠体３０とのスライド部分にスライドレール２１を介して連結し、天井枠体３０の四隅下部に連結した連結材４１と、基部枠体１０の上部に装着した固定滑車４２と、基台枠体１０に装着され固定滑車４２を介した連結材４２を巻き付け又は巻き戻す回転操作部４３と、からなるスライド装置４０を設け、該スライド装置４０の各連結材４１のそれぞれ一部に、連結材４１を引張付勢する弾性材４４を連結したことにある。
【０００９】
第２の手段は、前記天井枠体３０側面に換気扇１を装着する開口部３１を開穿し、該開口部３１の下部の天井枠体３０内側面に換気扇１を揺動自在に支持する支持体２を設け、天井枠体３０がスライド上昇した状態の開口部３１内に、揺動する支持体２を介して換気扇１を装着するように設けている。
【００１０】
第３の手段は、前記基台枠体１０内部に設置した揚げ物調理用のフライヤー５を施蓋する蓋体６を設け、該蓋体６を上方にスライド移動するスライド体７をフライヤー５の開口部一側縁から上方に延長し、天井枠体１０がスライド上昇した状態において、該スライド体７に沿って上部へ移動した蓋体６をフライヤー５使用時のフード８とするように設ける。
【００１１】
第４の手段は、前記基部枠体１０の開口した上部側面に着脱自在に装着されて販売者と購買者との間を仕切る間仕切り３を設けると共に、該間仕切り３取り外し時に基台枠体１０内部に設置したフライヤー５と購買者との間を仕切る飛散防御板４とを設け、前記天井枠体３０がスライド上昇した状態において、これら間仕切り３と飛散防御板４とを交換自在に装着するように設けたことを課題解消のための手段とする。
【考案の効果】
【００１２】
本考案の請求項１により、支柱体２０と天井枠体３０とのスライド部分にスライドレール２１を介して連結し、スライド装置４０の各連結材４１のそれぞれ一部に、連結材４１を引張付勢する弾性材４４を連結したことで、車両が傾いても天井枠体３０の四隅を均一にスライド移動させることが可能になる。この結果、荷台に装着した伸縮ボディのスライド操作が、初心者や非力な女性でも極めて容易に行えるようになった。
【００１３】
また、請求項２乃至４により、軽トラックの荷台に装着した伸縮ボディ内で揚げ物を調理しながら販売することが可能になった。すなわち、天井枠体３０がスライド上昇した状態において、換気扇１の使用が可能になり、しかも、間仕切り３や飛散防御板４の選択使用ができ、更にはフライヤー５にフード８を備えて安全な使用ができるなど、伸縮ボディ内で揚げ物を調理販売するのに必要な設備を使用することができるものである。
【００１４】
このように本考案によると、軽トラックの荷台に装着した伸縮ボディ内で揚げ物を調理しながら販売することが可能で、しかも、伸縮ボディのスライド操作が極めて容易に行えるなどといった種々の効果を奏するものである。
【考案を実施するための最良の形態】
【００１５】
本考案の最良の形態は、車両のシャーシーに固定される基部枠体１０と、該基部枠体１０の開口した上部の四隅に配設される支柱体２０と、該支柱体２０の外側部に沿って上下スライド自在に装着される天井枠体３０とで伸縮ボディを構成する。前記支柱体２０と天井枠体３０とのスライド部分にスライドレール２１を装着する。天井枠体３０の四隅下部に連結した連結材４１と、基部枠体１０の上部に装着した固定滑車４２と、基台枠体１０に装着され固定滑車４２を介した連結材４２を巻き付け又は巻き戻す回転操作部４３とで、スライド装置４０を設ける。該スライド装置４０の各連結材４１のそれぞれ一部に、連結材４１を引張付勢する弾性材４４を連結する。天井枠体３０側面に換気扇１を装着する開口部３１を開穿する。該開口部３１の下部の天井枠体３０内側面に換気扇１を揺動自在に支持する支持体２を設ける。天井枠体３０がスライド上昇した状態の開口部３１内に換気扇１を装着するように設けることで当初の目的を達成するものである。
【実施例】
【００１６】
本考案販売用車両は、軽トラックの荷台に装着した上下スライド自在な伸縮ボディの中で、揚げ物を調理しながら販売する移動販売用車両として使用するものである。この伸縮ボディは、軽量なＦＲＰ材により形成されており、基部枠体１０、支柱体２０、天井枠体３０から成る（図１参照）。
【００１７】
基部枠体１０は、車両のシャーシーに固定されおり、支柱体２０は、基部枠体１０の開口した上部の四隅に配設される部材である（図１０参照）。この支柱体２０の外側に沿って天井枠体３０がスライド移動する。そのため、前記支柱体２０と天井枠体３０とのスライド部分にスライドレール２１を介し、天井枠体３０のスライド移動を容易ならしめている。図示例では、支柱体２０の角部外側に面取部２２を設ける共に、天井枠体３０の角部内側に面取部３２を設け、これらの面取部２２，３２に、固定ピン２１Ａを用いてスライドレール２１を固定している。
【００１８】
天井枠体３０は、該支柱体２０の外側部に沿って上下スライド自在に装着される部材である。この天井枠体３０の側面には、換気扇１を装着する開口部３１を開穿してある（図４参照）。更に、該開口部３１の下部の天井枠体３０内側面に換気扇１を揺動自在に支持する支持体２を設けている。この支持体２は、天井枠体３０が下降している場合に略水平となって換気扇１を支持し、天井枠体３０がスライド上昇したときに、この支持体２を揺動せしめることで、開口部３１内に換気扇１を装着するように設けている（図５参照）。図示の支持体２に、開口部３１に装着した換気扇１を固定する固定具２Ａを設けている。この固定具２Ａは、一対の切欠２Ｂを設けた固定金具２Ｃに、略Ｕ字形状の支持腕２Ｄを装着し、切欠２Ｂの位置合わせて支持腕２Ｄを移動させることで、換気扇１を押圧付勢するものである。
【００１９】
そして、スライド装置４０にて天井枠体３０を昇降自在に操作する（図３参照）。このスライド装置４０は、連結材４１、固定滑車４２、回転操作部４３とからなる。連結材４１は、主にワイヤロープを使用する。この連結材４１を天井枠体３０の四隅下部に連結して固定滑車４２を介し、回転操作部４３で巻き付け又は巻き戻される。各連結材４１には、連結材４１を引張付勢する弾性材４４を一部に連結している。図示の弾性材４４は、コイルスプリングを用いており、この弾性材４４の引張付勢力により、各連結材４１のテンションを一定に保つことができる。一方、固定滑車４２は、基部枠体１０の上部に装着されており、この固定滑車４２を介して上下動する連結材４１に伴って天井枠体３０がスライド移動するものである。回転操作部４３は、基台枠体１０に装着され、固定滑車４２を介した連結材４２を巻き付け又は巻き戻す。図示の回転操作部４３は、クランク状を成した操作杆４３Ａに、巻き取り用のドラム４３Ｂを設けたものである。
【００２０】
基部枠体１０は、車両のシャーシーに固定されおり、この基部枠体１０に揚げ物調理用のフライヤー５や、他の設備類５０が装着されている（図２参照）。フライヤー５は、本考案で調理販売するコロッケやフライ、天婦羅などを揚げる装置で、内部に高温の食用油を蓄える。フライヤー５不使用車時や車両移動時には、フライヤー５の開口した上部を蓋体６にて施蓋する。また、このフライヤー５の開口部一側縁から上方にスライド体７を延長して設け、該スライド体７に沿って蓋体６を上方にスライド移動できるように設けてある。
【００２１】
図示のスライド体７は略角柱状を成しており、このスライド体７の外側にスライド自在に外嵌する筒体６Ａを設ける（図７参照）。更に、該筒体６Ａの上端に、平面略コ字状の揺動体６Ｂを揺動自在に連結し、フライヤー５不使用時に、筒体６Ａの側面に重合するように設ける。そして、この揺動体６Ｂの下端に蓋体６を用度自在に連結し、この蓋体６にて不使用時のフライヤー５を施蓋するものである。
【００２２】
一方、フライヤー５使用時においては、筒体６Ａをスライド体７の上部までスライド移動して固定し、更に、揺動体６Ｂを揺動せしめて筒体６Ａの上方へ持ち上げると、この揺動体６Ｂの上部で蓋体６が略水平に支持されるものである（図６参照）。この蓋体６がフライヤー５使用時のフードとして利用される。
【００２３】
基部枠体１０には、更に他の設備類５０が設置されている。この設備類５０としては、
基部枠体１０の内部に設置するカウンターテーブル５１、収納庫付き排水タンク５２、ストッカー５３、排水タンク付きシンク５４を設置している。また、基部枠体１０の外部側面に、顧客用テーブル５５と調理した揚げ物を保温するウォーマー用テーブル５６が揺動自在に設置されている（図２参照）。
【００２４】
更に、基部枠体１０の開口した上部側面に、間仕切り３や飛散防御板４を交換自在に装着するように設けている。間仕切り３は、販売者と購買者との間を仕切るもので、スライド開閉自在なガラス窓部３Ａを有している（図８参照）。一方、飛散防御板４は、間仕切り３の代わりに装着するもので、基台枠体１０内部に設置したフライヤー５と購買者との間を仕切るものである。この飛散防御板４は、透明なアクリル板等を使用するもので、基部枠体１０の側板内側にスライド自在に装着しておき、間仕切り３をはずした後に、この飛散防御板４を持ち上げて固定する（図９参照）。
【００２５】
尚、図示例の各構成は、本考案の一実施例に過ぎず、各部材の寸法における設計変更は勿論のこと、本考案の主要構成部以外の設計変更、材質の転換及び形態の変更など、現在知られている技術範囲で自由に変更することができるものである。
【図面の簡単な説明】
【００２６】
【図１】本考案車両の一実施例を示す側面図である。
【図２】本考案車両の一実施例を示す要部概略平断面図である。
【図３】本考案車両のスライド装置の一実施例を示す概略図である。
【図４】本考案の換気扇の移動状態を示す側面図である。
【図５】本考案の固定具の一実施例を示す斜視図である。
【図６】本考案の蓋体の使用状態を示す斜視図である。
【図７】本考案の蓋体のスライド状態を示す側面図である。
【図８】本考案の間仕切りを示す斜視図である。
【図９】本考案の飛散防御板を示す要部斜視図である。
【図１０】本考案のスライドレールの一実施例を示す断面図である。
【符号の説明】
【００２７】
１  換気扇
２  支持体              ２Ａ  固定具
２Ｂ  切欠
２Ｃ  固定金具                            
２Ｄ  支持腕  
３  間仕切り            ３Ａ  ガラス窓部
４  飛散防御板
５  フライヤー          
６  蓋体                ６Ａ  筒体
６Ｂ  揺動体
７  スライド体
８  フード  
１０  基部枠体
２０  支柱体
２１  スライドレール    ２１Ａ  固定ピン
２２  面取部
３０  天井枠体
３１  開口部
３２  面取部
４０  スライド装置        
４１  連結材
４２  固定滑車
４３  回転操作部        ４３Ａ  操作杆
４３Ｂ  ドラム
４４  弾性材
５０  設備類
５１  カウンターテーブル
５２  収納庫付き排水タンク
５３  ストッカー
５４  排水タンク付きシンク
５５  顧客用テーブル
５６  ウォーマー用テーブル
【図１】
0003108637.tif 000003
【図２】
0003108637.tif 000004
【図３】
0003108637.tif 000005
【図４】
0003108637.tif 000006
【図５】
0003108637.tif 000007
【図６】
0003108637.tif 000008
【図７】
0003108637.tif 000009
【図８】
0003108637.tif 000010
【図９】
0003108637.tif 000011
【図１０】
0003108637.tif 000012